(57)【要約】【課題】　複数の撮像装置を用いた遠隔カメラシステムにおいて、他人の撮像装置により取得された画像データであっても高画質の画像を表示できるようにする。【解決手段】　デジタルカメラ１Ａをマスターカメラ、デジタルカメラ１Ｂ，１Ｃ，１Ｄをスレーブカメラに設定し、デジタルカメラ１Ａの撮影動作によりデジタルカメラ１Ｂ，１Ｃ，１Ｄにおいても撮影を行う。デジタルカメラ１Ｂ，１Ｃ，１Ｄにおいて、デジタルカメラ１Ａのモニタ１１の表示特性に応じて画像データを加工してカメラサーバ２に送信し、カメラサーバ２からデジタルカメラ１Ｂ，１Ｃ，１Ｄが取得した画像データをデジタルカメラ１Ａに送信する。デジタルカメラ１Ａにおいてはモニタ１１の表示特性に応じて加工された高画質の画像をモニタ１１に表示できる。【選択図】　　　　　図１
2004140799.tif 000002
【特許請求の範囲】
【請求項１】
　複数の撮像装置をネットワークを介して連携させて操作して画像データを取得する撮像装置制御方法において、
　前記画像データを表示する表示手段の表示特性に応じて、前記画像データを加工して、該表示手段に表示することを特徴とする撮像装置制御方法。
【請求項２】
　前記加工された画像データの表示を、前記複数の撮像装置のうちの一の撮像装置において行うことを特徴とする請求項１記載の撮像装置制御方法。
【請求項３】
　前記画像データの加工を前記複数の撮像装置のそれぞれにおいて行うことを特徴とする請求項１または２記載の撮像装置制御方法。
【請求項４】
　前記画像データの加工を前記一の撮像装置または前記複数の撮像装置のそれぞれのいずれかにおいて行うことを特徴とする請求項２記載の撮像装置制御方法。
【請求項５】
　前記画像データの加工を前記一の撮像装置および前記複数の撮像装置のそれぞれいずれにおいて行うかを、前記複数の撮像装置の表示手段の表示特性および／または該複数の撮像装置の通信能力に応じて決定することを特徴とする請求項４記載の撮像装置制御方法。
【請求項６】
　前記表示特性として、前記表示手段の解像度、階調特性、色再現特性、サイズおよびアスペクト比を含むことを特徴とする請求項１から５のいずれか１項記載の撮像装置制御方法。
【請求項７】
　複数の撮像装置をネットワークを介して連携させて操作して画像データを取得する撮像装置制御装置において、
　前記画像データを表示する表示手段の表示特性に応じて、前記画像データを加工する加工手段を備えたことを特徴とする撮像装置制御装置。
【請求項８】
　前記表示手段は、前記複数の撮像装置のうちの一の撮像装置に設けられてなることを特徴とする請求項７記載の撮像装置制御装置。
【請求項９】
　前記複数の撮像装置のそれぞれに設けられてなることを特徴とする請求項７記載の撮像装置制御装置。
【請求項１０】
　前記複数の撮像装置のそれぞれに設けられてなることを特徴とする請求項８記載の撮像装置制御装置。
【請求項１１】
　前記画像データの加工を前記一の撮像装置または前記複数の撮像装置のそれぞれのいずれかにおいて行うよう前記加工手段を制御する制御手段をさらに備えたことを特徴とする請求項１０記載の撮像装置制御装置。
【請求項１２】
　前記制御手段は、前記画像データの加工を前記一の撮像装置および前記複数の撮像装置のそれぞれのいずれにおいて行うかを、前記複数の撮像装置の表示手段の表示特性および／または該複数の撮像装置の通信能力に応じて決定する手段であることを特徴とする請求項１１記載の撮像装置制御装置。
【請求項１３】
　前記表示特性として、前記表示手段の解像度、階調特性、色再現特性、サイズおよびアスペクト比を含むことを特徴とする請求項７から１２のいずれか１項記載の撮像装置制御装置。
【請求項１４】
　複数の撮像装置をネットワークを介して連携させて操作して画像データを取得する撮像装置制御方法をコンピュータに実行させるためのプログラムにおいて、
　前記画像データを表示する表示手段の表示特性に応じて、前記画像データを加工して、該表示手段に表示する手順を有するプログラム。
【発明の詳細な説明】
【技術分野】
【０００１】
　本発明は、例えば無線ＬＡＮのようなネットワークを介して接続された複数の撮像装置の動作を制御する撮像装置制御方法および装置並びに撮像装置制御方法をコンピュータに実行させるためのプログラムに関するものである。
【背景技術】
【０００２】
　遠隔地に設置されたカメラの映像をネットワークを介して鑑賞できるようにする遠隔カメラシステムが提案されている。このような遠隔カメラシステムは、単にカメラの映像を見ることができるだけでなく、カメラの向きやズーム倍率をも遠隔地から操作することができるものである。また、このような遠隔カメラシステムにおいて、１つのカメラから複数のカメラの動作を制御する方法も提案されている（例えば特許文献１参照）。
【特許文献１】特開２０００−１１３１６６号公報
【発明の開示】
【発明が解決しようとする課題】
【０００３】
　ところで、上記遠隔カメラシステムを、デジタルカメラに適用することも可能である。具体的には、複数のユーザの各々がデジタルカメラを所持している場合に、一のユーザがデジタルカメラを用いて撮影を行うと、他のユーザのデジタルカメラにおいても同時にあるいは連続して撮影を行わせることも可能である。このように、複数のデジタルカメラを連携させて操作することにより、様々なアングルから１つの被写体を同時に撮影することが可能となり、撮影の楽しみを広げることができる。また、複数のカメラによりそれぞれ取得された画像データを一元的に保管することにより、画像データの配布や画像データを用いてのアルバム作成等を容易に行うことが可能となる。
【０００４】
　ここで、画像データを配布する場合、画像データにより表される画像に含まれる人物が有するカメラに対して、画像データが添付された電子メールを送信したり、画像データの保管場所を表すＵＲＬを電子メールに記述して送信する。これにより、画像データの送信等を受けたユーザは、自身のカメラのモニタに他人が撮影した画像を表示して楽しむことが可能となる。
【０００５】
　しかしながら、カメラのモニタはカメラの機種に応じて解像度、階調特性、色再現特性、サイズおよびアスペクト比等が異なる。このため、一のカメラにおいて取得した画像データはそのカメラでは高画質に表示できても、その画像データを他のカメラにおいて表示した場合に、表示した画像が好ましい画質とならない場合がある。
【０００６】
　本発明は上記事情に鑑みなされたものであり、他人の撮像装置により取得された画像データであっても高画質の画像を表示できるようにすることを目的とする。
【課題を解決するための手段】
【０００７】
　本発明による撮像装置制御方法は、複数の撮像装置をネットワークを介して連携させて操作して画像データを取得する撮像装置制御方法において、
　前記画像データを表示する表示手段の表示特性に応じて、前記画像データを加工して、該表示手段に表示することを特徴とするものである。
【０００８】
　「撮像装置」とは、被写体を撮影することにより被写体の画像を表すデジタルの画像データを取得する撮影専用のデジタルカメラのみならず、携帯電話やＰＤＡ等の通信機能を有する携帯端末装置に搭載されるデジタルカメラをも含む。
【０００９】
　「表示手段の表示特性」とは、表示手段の解像度、階調特性、色再現特性、表示手段のサイズおよび表示手段のアスペクト比等の表示される画像の画質に影響を与える表示手段の特性をいう。
【００１０】
　「加工」とは、解像度変換処理、階調補正処理、色補処理正、濃度補正処理、拡大縮小処理およびアスペクト比に合わせるためのトリミング処理等を施すことを意味する。
【００１１】
　なお、本発明による撮像装置制御方法においては、前記加工された画像データの表示を、前記複数の撮像装置のうちの一の撮像装置において行うようにしてもよい。
【００１２】
　また、画像データの表示を、複数の撮像装置により取得された画像データを管理するサーバ等の手段において行ってもよい。この場合、表示手段はそのサーバ等の手段に設けられてなるものである。
【００１３】
　また、本発明による撮像装置制御方法においては、前記画像データの加工を前記複数の撮像装置のそれぞれにおいて行うようにしてもよい。
【００１４】
　また、前記加工された画像データの表示を前記複数の撮像装置のうちの一の撮像装置において行うに際し、前記画像データの加工を前記一の撮像装置または前記複数の撮像装置のそれぞれのいずれかにおいて行うようにしてもよい。
【００１５】
　この場合、前記画像データの加工を前記一の撮像装置および前記複数の撮像装置のそれぞれのいずれにおいて行うかを、前記複数の撮像装置の表示手段の表示特性および／または該複数の撮像装置の通信能力に応じて決定するようにしてもよい。
【００１６】
　本発明による撮像装置制御装置は、複数の撮像装置をネットワークを介して連携させて操作して画像データを取得する撮像装置制御装置において、
　前記画像データを表示する表示手段の表示特性に応じて、前記画像データを加工する加工手段を備えたことを特徴とするものである。
【００１７】
　なお、本発明による撮像装置制御装置においては、前記表示手段を、前記複数の撮像装置のうちの一の撮像装置に設けてもよい。
【００１８】
　また、本発明による撮像装置制御装置を、前記複数の撮像装置のそれぞれに設けてもよい。
【００１９】
　また、表示手段が複数の撮像装置のうちの一の撮像装置に設けられてなり、本発明による撮像装置制御装置が複数の撮像装置のそれぞれに設けられてなる場合においては、前記画像データの加工を前記一の撮像装置または前記複数の撮像装置のそれぞれのいずれかにおいて行うよう前記加工手段を制御する制御手段をさらに備えるものとしてもよい。
【００２０】
　この場合、前記制御手段は、前記画像データの加工を前記一の撮像装置および前記複数の撮像装置のそれぞれのいずれにおいて行うかを、前記複数の撮像装置の表示手段の表示特性および／または該複数の撮像装置の通信能力に応じて決定する手段としてもよい。
【００２１】
　なお、本発明による撮像装置制御方法をコンピュータに実行させるためのプログラムとして提供してもよい。
【発明の効果】
【００２２】
　本発明によれば、複数の撮像装置により取得された画像データが、画像データを表示する表示手段の表示特性に応じて加工されて表示手段に表示される。このため、表示手段にはその表示特性に応じて加工された高画質の画像を表示することができる。
【００２３】
　また、加工された画像データの表示を複数の撮像装置のうちの一の撮像装置において行うことにより、その一の撮像装置において他の撮像装置が取得した画像データを高画質に表示することができる。
【００２４】
　また、画像データの加工を複数の撮像装置のそれぞれにおいて行うことにより、加工された画像データを撮像装置から表示手段に直ちに表示することができるため、高画質の画像を迅速に表示することができる。
【００２５】
　また、画像データの加工を一の撮像装置または複数の撮像装置のそれぞれのいずれかにおいて行うことにより、加工を行わない撮像装置の処理の負担を軽減できる。
【００２６】
　この場合、複数の撮像装置の表示手段の表示特性および／または通信能力に応じて、一の撮像装置および複数の撮像装置のそれぞれのいずれにおいて画像データの加工を行うかを決定することにより、ある撮像装置の表示手段の表示特性および／または通信能力に応じて、適切に画像データを加工できる。
【発明を実施するための最良の形態】
【００２７】
　以下図面を参照して本発明の実施形態について説明する。図１は本発明の実施形態による撮像装置制御装置を用いた遠隔カメラシステムの構成を示す概略ブロック図である。図１に示すように、本実施形態による遠隔カメラシステムは、複数（ここでは４台）のデジタルカメラ１Ａ，１Ｂ，１Ｃ，１Ｄおよびカメラサーバ２がネットワーク３により接続されてなり、デジタルカメラ１Ａ〜１Ｄにおいて取得した画像データをカメラサーバ２に送信し、カメラサーバ２において画像データの保管および管理を行うものである。なお、本実施形態においては、ネットワーク３は無線ＬＡＮを用いるものとするが、デジタルカメラ１Ａ〜１Ｄを互いに遠隔操作できるものであれば、いかなるネットワークを用いてもよい。
【００２８】
　本実施形態においては、デジタルカメラ１Ａをマスターカメラ、デジタルカメラ１Ｂ，１Ｃ，１Ｄをスレーブカメラと設定し、デジタルカメラ１Ａにおいて撮影動作を行うと、これと同時にデジタルカメラ１Ｂ，１Ｃ，１Ｄにおいて撮影を行うように、デジタルカメラ１Ｂ，１Ｃ，１Ｄの動作が制御されるものとする。
【００２９】
　なお、マスターカメラに設定されたデジタルカメラ１Ａは、デジタルカメラ１Ｂ，１Ｃ，１Ｄに撮影を行わせることなく単独で撮影を行うことが可能である。また、スレーブカメラに設定されたデジタルカメラ１Ｂ，１Ｃ，１Ｄは、デジタルカメラ１Ａからの撮影指示を受けることなく、単独で撮影を行うことが可能である。ここで、各デジタルカメラ１Ａ〜１Ｄが単独で撮影することにより取得した画像データは、カメラサーバ２に送信してもよいが、各デジタルカメラ１Ａ〜１Ｄのメモリカードに保管しておいてもよい。
【００３０】
　図２はデジタルカメラ１Ａの構成を示す背面斜視図である。なお、デジタルカメラ１Ｂ，１Ｃ，１Ｄはデジタルカメラ１Ａと同一の構成を有するため説明を省略する。図２に示すようにデジタルカメラ１Ａは、撮影しようとしている画像やメニュー等の種々の表示を行うモニタ１１と、シャッタボタン１２と、無線ＬＡＮによる通信を行う無線ＬＡＮチップ１３と、種々の入力を行う十字キー１４Ａを含む入力手段１４と、音声出力を行うスピーカ１５とを備えてなる。また、デジタルカメラ１Ａの内部には、シャッタボタン１２の半押し動作により、撮影通知情報をデジタルカメラ１Ｂ，１Ｃ，１Ｄに送信する撮影通知手段１６および撮影により取得された画像データを加工する加工手段１７を備える。
【００３１】
　モニタ１１には、デジタルカメラ１Ａ自身が撮影しようとしている画像およびデジタルカメラ１Ｂ，１Ｃ，１Ｄが撮影しようとしている画像の双方が表示される。図３は、モニタ１１に表示される画像を示す図である。図３に示すように、モニタ１１には、デジタルカメラ１Ａが撮影しようとする画像を表示するウィンドウ１１Ａおよびデジタルカメラ１Ｂ，１Ｃ，１Ｄが撮影しようとする画像を表示するウィンドウ１１Ｂ，１１Ｃ，１１Ｄが表示される。なお、図３に示すようにウィンドウ１１Ａはデジタルカメラ１Ａが撮影しようとする画像であるため、他のウィンドウ１１Ｂ，１１Ｃ，１１Ｄと比較してサイズが大きいものとなっている。
【００３２】
　ここで、他のウィンドウ１１Ｂ，１１Ｃ，１１Ｄはウィンドウ１１Ａと比較してサイズが小さいため、表示された画像が見にくい場合がある。このため、ウィンドウ１１Ｂ，１１Ｃ，１１Ｄには、撮影しようとする画像の中心部分のみを表示してもよい。また、入力手段１４により選択したウィンドウ１１Ｂ，１１Ｃ，１１Ｄを拡大してモニタ１１に表示してもよい。
【００３３】
　また、図４に示すように、デジタルカメラの数に応じて単にモニタ１１の画面を分割して、各デジタルカメラ１Ａ〜１Ｄにおいて撮影しようとする画像を表示してもよい。
【００３４】
　シャッタボタン１２は、半押し動作によりフォーカスおよび測光を行い、全押し動作によりシャッタを駆動して撮影を行うものである。ここで、本実施形態においては、シャッタボタン１２の半押し動作により、撮影通知手段１６が駆動され、無線ＬＡＮチップ１３からネットワーク３経由で、デジタルカメラ１Ｂ，１Ｃ，１Ｄに対して撮影通知情報が送信される。撮影通知情報はこれから撮影が行われることをデジタルカメラ１Ｂ，１Ｃ，１Ｄに通知するための情報であり、デジタルカメラ１Ｂ，１Ｃ，１Ｄは、撮影通知情報に基づいてデジタルカメラ１Ｂ，１Ｃ，１Ｄのユーザに撮影通知を行う。
【００３５】
　具体的には、チャイム音、ビープ音、「撮影します」、「カメラを構えて下さい」の音声をデジタルカメラ１Ｂ，１Ｃ，１Ｄのスピーカ１５から出力させることにより撮影通知を行えばよい。また、デジタルカメラ１Ｂ，１Ｃ，１Ｄのモニタ１１に、「撮影します」、「カメラを構えて下さい」等のメッセージを表示して撮影通知を行ってもよく、メッセージと音声とを組み合わせて撮影通知を行ってもよい。さらには、モニタ１１自体を点滅させたり、モニタ１１の表示色を反転させたり、カメラ自体を振動させる等して撮影通知を行ってもよい。
【００３６】
　そしてこのように撮影通知が行われた後、デジタルカメラ１Ａのシャッタボタン１２を全押しすることにより、デジタルカメラ１Ａにおいて撮影が行われるとともに、デジタルカメラ１Ｂ，１Ｃ，１Ｄにおいても同時に撮影が行われる。なお、撮影のタイミングは同時のみならず、一定時間遅延させて、順次デジタルカメラ１Ｂ，１Ｃ，１Ｄにおいて連続した撮影を行わせるものであってもよい。
【００３７】
　無線ＬＡＮチップ１３は、無線ＬＡＮによるネットワーク３経由の通信を行うためのものであり、通信に必要な認証情報を記憶するメモリ、通信インターフェース等を備えてなるものである。
【００３８】
　加工手段１７は、撮影により取得された画像データをモニタ１１の表示特性に応じて加工して加工済みの画像データを取得する。具体的には、モニタ１１の解像度、階調特性、色再現特性、サイズおよびアスペクト比に応じて、撮影により取得された画像データに対して解像度変換処理、階調補正処理、色補正処理、濃度補正処理、拡大縮小処理、およびトリミングを施して加工済みの画像データを取得する。なお、本実施形態においては、マスターカメラであるデジタルカメラ１Ａのモニタ１１に画像を表示するものとし、他のデジタルカメラ１Ｂ，１Ｃ，１Ｄは、デジタルカメラ１Ａのモニタ１１の表示特性に応じて、取得された画像データを加工するものとする。
【００３９】
　カメラサーバ２は、デジタルカメラ１Ａ〜１Ｄにおいて取得された画像データ（加工済みのもの）を保管および管理するためのものであり、大容量のハードディスク２Ａを備えてなる。すなわち、デジタルカメラ１Ａが撮影を行うことにより、デジタルカメラ１Ｂ，１Ｃ，１Ｄにおいて撮影が行われて、各デジタルカメラ１Ａ〜１Ｄにおいて同時に４つの画像データが取得されるが、各デジタルカメラ１Ａ〜１Ｄからは画像データがカメラサーバ２に送信されて、ここで画像データが保管される。
【００４０】
　また、カメラサーバ２は、遠隔操作が行われるデジタルカメラ１Ａ〜１Ｄの機種、カメラを識別するＩＤ、マスターカメラかスレーブカメラであるかの情報を管理する。また、本実施形態においては、１度の撮影により４つの画像データがカメラサーバ２に送信されるが、カメラサーバ２は重複しないようにファイル名を画像データに付与して画像データを保管する。また、保管される画像データがいずれのデジタルカメラ１Ａ〜１Ｄにおいて取得されたものであるかが分かるように、画像データを管理する。
【００４１】
　また、本実施形態においては、マスターカメラであるデジタルカメラ１Ａにおいて、他のデジタルカメラ１Ｂ，１Ｃ，１Ｄにより取得された画像データの確認を行う必要があるため、カメラサーバ２は、デジタルカメラ１Ａ〜１Ｄから送信された画像データのうち、デジタルカメラ１Ｂ，１Ｃ，１Ｄから送信された画像データをデジタルカメラ１Ａに送信する。
【００４２】
　なお、画像データの送信に代えて、画像データの保管場所を表すＵＲＬ（ここではハードディスク２Ａのフォルダ名等）をデジタルカメラ１Ａに送信してもよい。この場合、ＵＲＬの送信を受けたデジタルカメラ１Ａのユーザは、そのＵＲＬにアクセスしてデジタルカメラ１Ｂ，１Ｃ，１Ｄが取得した画像データをダウンロードして手に入れることができる。
【００４３】
　次いで、本実施形態において行われる処理について説明する。図５は、本実施形態において行われる処理を示すフローチャートである。まず、マスターカメラであるデジタルカメラ１Ａにより、シャッタボタン１２が全押しされて撮影指示がなされたか否かが監視されており（ステップＳ１）、ステップＳ１が肯定されると、デジタルカメラ１Ａにより撮影が行われ（ステップＳ２）、撮影により取得された画像データがデジタルカメラ１Ａのモニタ１１の表示特性に応じて加工されて（ステップＳ３）、加工された画像データがカメラサーバ２に送信される（ステップＳ４）。
【００４４】
　これと同時に、他のデジタルカメラ１Ｂ，１Ｃ，１Ｄにより撮影が行われ（ステップＳ５）、撮影により取得された画像データがデジタルカメラ１Ａのモニタ１１の表示特性に応じて加工されて（ステップＳ６）、加工された画像データがカメラサーバ２に送信される（ステップＳ７）。
【００４５】
　そして、カメラサーバ２においては画像データが受信され（ステップＳ８）、受信された画像データが保管され（ステップＳ９）、さらに保管された画像データのうち、デジタルカメラ１Ｂ，１Ｃ，１Ｄにより取得された画像データがデジタルカメラ１Ａに送信されて（ステップＳ１０）、処理を終了する。
【００４６】
　デジタルカメラ１Ａにおいては、デジタルカメラ１Ｂ，１Ｃ，１Ｄにより取得された画像データがモニタ１１に表示される。
【００４７】
　このように、本実施形態においては、デジタルカメラ１Ｂ，１Ｃ，１Ｄが取得した画像データをデジタルカメラ１Ａのモニタ１１の表示特性に応じて加工手段１７により加工し、加工済みの画像データをデジタルカメラ１Ａに送信してデジタルカメラ１Ａのモニタ１１に表示するようにしたものである。このため、デジタルカメラ１Ａにおいては、他のデジタルカメラ１Ｂ，１Ｃ，１Ｄが取得した画像データであっても、デジタルカメラ１Ａのモニタ１１の表示特性に応じて加工された高画質の画像を表示することができる。
【００４８】
　また、画像データの加工をデジタルカメラ１Ｂ，１Ｃ，１Ｄにおいて行っているため、デジタルカメラ１Ａは送信された画像データをモニタ１１に直ちに表示することができ、これにより、高画質の画像を迅速に表示することができる。
【００４９】
　なお、上記実施形態においては、デジタルカメラ１Ｂ，１Ｃ，１Ｄにより取得された画像データをデジタルカメラ１Ａのモニタ１１の表示特性に応じて加工して、カメラサーバ２経由でデジタルカメラ１Ａに送信しているが、図６に示すようにカメラサーバ２が有するモニタ２Ａに画像データを表示する場合には、モニタ２Ａの表示特性に応じて、デジタルカメラ１Ａ〜１Ｄにおいて取得された画像データを各デジタルカメラ１Ａ〜１Ｄの加工手段１７により加工してカメラサーバ２に送信してもよい。これにより、カメラサーバ２のモニタ２Ａには、モニタ２Ａの表示特性に応じた高画質の画像を表示することができる。
【００５０】
　また、上記実施形態においては、デジタルカメラ１Ａ〜１Ｄに加工手段１７を設けて、画像データを表示するデジタルカメラ１Ａのモニタ１１の表示特性に応じて画像データを加工しているが、図７に示すように、カメラサーバ２に加工手段２Ｂを設けてもよい。この場合、デジタルカメラ１Ａ〜１Ｄは撮影により取得された画像データを加工することなくカメラサーバ２に送信する。そして、いずれかのデジタルカメラ１Ａ〜１Ｄから画像データの送信指示があると、送信指示のあったデジタルカメラ１Ａ〜１Ｄのモニタ１１の表示特性に応じて、送信する画像データが加工手段２Ｂにより加工されて、送信指示のあったデジタルカメラ１Ａ〜１Ｄに送信される。これにより、画像データの送信指示を行ったデジタルカメラ１Ａ〜１Ｄのモニタ１１には、モニタ１１の表示特性に応じた高画質の画像を表示することができる。また、この場合、デジタルカメラ１Ａ〜１Ｄに加工手段１７を設ける必要がなくなるため、デジタルカメラ１Ａ〜１Ｄの構成を簡易なものとすることができる。
【００５１】
　また、上記実施形態においては、カメラサーバ２においてデジタルカメラ１Ａ〜１Ｄにより取得された画像データを保管しているが、カメラサーバ２を設けることなく、マスターカメラであるデジタルカメラ１Ａにおいて、自身が取得した画像データおよび他のデジタルカメラ１Ｂ，１Ｃ，１Ｄが取得した画像データを保管してもよい。この場合、デジタルカメラ１Ｂ，１Ｃ，１Ｄからは、デジタルカメラ１Ａに直接画像データが送信される。なお、任意の１のスレーブカメラに、他のスレーブカメラおよびマスターカメラであるデジタルカメラ１Ａから画像データを直接送信し、その１のスレーブカメラにおいて画像データを保管してもよい。この場合、各デジタルカメラにおいては、１のスレーブカメラのモニタ１１の表示特性に応じて画像データが加工される。
【００５２】
　またこの場合、デジタルカメラ１Ａ〜１Ｄ間の通信は、図８に示すように、デジタルカメラ１Ａ〜１Ｄ同士で直接データのやりとりを行うピア・ツー・ピア通信方式を用いればよい。なお、ピア・ツー・ピア通信方式においては、デジタルカメラ１Ａ〜１Ｄ間のデータ転送は、データを発信するデジタルカメラから送信先のデジタルカメラへ向けて直接情報パケットを転送することにより行われる。
【００５３】
　なお、この場合、デジタルカメラ１Ｂ，１Ｃ，１Ｄから加工前の画像データをデジタルカメラ１Ａに送信し、デジタルカメラ１Ａにおいてデジタルカメラ１Ａが取得した画像データおよび他のデジタルカメラ１Ｂ，１Ｃ，１Ｄが取得した画像データを加工するようにしてもよい。さらに、デジタルカメラ１Ｂ，１Ｃ，１Ｄにおいて画像データを加工するか、デジタルカメラ１Ａに画像データを送信して画像データを加工するかを、各デジタルカメラ１Ｂ，１Ｃ，１Ｄにおいて選択できるようにしてもよい。具体的には、デジタルカメラ１Ｂ，１Ｃ，１Ｄにおいてデジタルカメラ１Ａの表示特性および／または通信能力に応じて、デジタルカメラ１Ａに画像データを送信して画像データを加工するか、各デジタルカメラ１Ｂ，１Ｃ，１Ｄにおいて画像データを加工するかを決定すればよい。なおこの決定は加工手段１７が行うようにすればよい。これにより、例えばデジタルカメラ１Ａの通信能力が低い場合に、デジタルカメラ１Ｂ，１Ｃ，１Ｄが取得した画像データにより表される画像の解像度を低減してデータ量を少なくし、解像度が低減された画像を表す画像データをデジタルカメラ１Ａに送信するようにすれば、デジタルカメラ１Ａの通信負荷を軽減して効率よく画像データを送信することができる。
【００５４】
　また、上記実施形態において、マスターカメラおよびスレーブカメラの関係を各デジタルカメラ１Ａ〜１Ｄにおいて任意に切り替えられるようにしてもよい。
【００５５】
　また、上記実施形態においては、デジタルカメラ１Ａ〜１Ｄを用いた遠隔カメラシステムについて説明しているが、携帯電話、ＰＤＡ等のカメラ付きの携帯端末装置を用いて遠隔カメラシステムを構成することも可能である。この場合、カメラ付きの携帯端末装置とデジタルカメラとが混在したシステムであってもよい。なお、カメラ付き携帯端末装置はデジタルカメラ１Ａ〜１Ｄとは異なり、専用のシャッタボタンを含む撮影のための各種操作を行うための専用のボタンが設けられず、携帯端末装置の操作ボタンが撮影のための各種操作を行うボタンを兼用してなるものである。
【図面の簡単な説明】
【００５６】
【図１】本発明の実施形態による撮像装置制御装置を用いた遠隔カメラシステムの構成を示す概略ブロック図
【図２】デジタルカメラの構成を示す背面斜視図
【図３】モニタに表示される画像を示す図
【図４】デジタルカメラの数に応じて分割されたモニタの画面を示す図
【図５】本実施形態において行われる処理を示すフローチャート
【図６】本発明の他の実施形態によるカメラ制御装置を用いた遠隔カメラシステムの構成を示す概略ブロック図
【図７】本発明のさらに他の実施形態によるカメラ制御装置を用いた遠隔カメラシステムの構成を示す概略ブロック図
【図８】ピア・ツー・ピアの通信方式を説明するための図
【符号の説明】
【００５７】
　　　１Ａ〜１Ｄ　　デジタルカメラ
　　　２　　カメラサーバ
　　　３　　ネットワーク
　　　１１，２Ａ　　モニタ
　　　１２　　シャッタボタン
　　　１３　　無線ＬＡＮチップ
　　　１４　　入力手段
　　　１５　　スピーカ
　　　１６　　撮影通知手段
　　　１７，２Ｂ　　加工手段
【図１】
2004140799.tif 000003
【図２】
2004140799.tif 000004
【図３】
2004140799.tif 000005
【図４】
2004140799.tif 000006
【図５】
2004140799.tif 000007
【図６】
2004140799.tif 000008
【図７】
2004140799.tif 000009
【図８】
2004140799.tif 000010